(57)【要約】【課題】水田等の水の管理を自動的に制御出来る装置を提供する。【解決手段】水田等に設置した水位感知装置により、水田の水位の高さを測り、これにより、給水路に設置する水門装置で、水の流れの開閉又は調整させる。この水門装置に水通過穴とこの水通過穴に、円筒状の回転可能で、かつ円筒状の回転中心から偏芯した位置に、開口部を有する円筒体と、前記の開口部を回転させる事により、水の流れの開閉又は調整し、かつ水門装置の水漏れ対策を行うことを特徴とする水門装置。又この水門装置はＵ字溝やパイプ溝に水門取り付け板や、取り付けジョイントで設置し作動させる構成とする。【選択図】図１
2006083692.tif 000002
【特許請求の範囲】
【請求項１】
給水路に設置される水門装置に水通過穴と、この水通過穴に円筒状の回転可能で、かつ円筒状の回転中心から偏芯した位置に、開口部を有する円筒体と、前記の開口部位置を回転させる事により、水の流れの開閉又は調整をする、回転駆動手段を備えたことを特徴とする水門装置。
【請求項２】
水門装置に押付力増加機構を設け、水漏れ対策を行うことを特徴とする、請求項１記載の水門装置。
【発明の詳細な説明】
【技術分野】
【０００１】
本発明は、水田等の水門における水田等の水位調整を自動化し、水田等の水の管理を省力化する水門装置に関する。
【背景技術】
【０００２】
水田の水位を管理するため水位管理を、田植えから収穫まで何回となく水門を調整しながら水位を管理している、これらはほとんど農業従事者が調整のたび、水田に出向き水位を調整している。
【特許文献１】特開平９−３２７２４４
【特許文献２】特開平１０−１４４２１
【特許文献３】特開平９−３２２６６４
【特許文献４】特開平８−１７２９４３
【特許文献５】特開平９−２４８０７６
【発明の開示】
【発明が解決しようとする課題】
【０００３】
本発明は水田等の水位管理にかかる労力を削減し、確実な水位管理が出来ることにある。
【課題を解決するための手段】
【０００４】
給水路に設置される水門装置に水通過穴と、この水通過穴に円筒状の回転可能で、かつ円筒状の回転中心から偏芯した位置に、開口部を有する円筒体と、前記の開口部位置を回転させる事により、水の流れの開閉又は調整をする、回転駆動手段を備えたことを特徴とする水門装置。
【０００５】
水門装置に押付力増加機構を設け、水漏れ対策を行うことを特徴とする、請求項１記載の水門装置。
【発明の効果】
【０００６】
本発明は、稲作、水耕栽培、魚の養殖などでは、水を管理する事が重要であるが、これ等の労力を軽減でき、被対象物の成長に必要な深水管理も出来る効果がある。
【発明を実施するための最良の形態】
【０００７】
本発明の水門装置を稲作に適用した場合は、水田の水を簡便に管理することが可能である。水田用水路のＵ字溝に水門装置を設置するが、この水門装置には水通過穴と、この水通過穴に円筒状の回転可能で、かつ円筒状の回転中心から偏芯した位置に、開口部を有する円筒体と、前記の開口部位置を回転させる事により、水の流れの開閉又は調整をする、回転駆動手段を備えたことを特徴とする水門装置である。更に押付力増加機構で水漏れ対策をした水門装置、電気制御装置を設置し、水田には水位感知装置を設置し、水位を計測しこの計測値により、太陽電池又は蓄電池を動力に、開口部位置を回転により変更し、水の流れを開閉又は調整をする水門装置であり、稲の成長に必要な水田の深水管理ができる。
【実施例】
【０００８】
図１は、本発明の水田のU字溝水路に水門装置を配置した説明図である。水田用のＵ字溝１５は仕切り板１６で仕切られ、エ、オ、方向に水が流れ、仕切り板１６より多く水が流れたときは、キ、方向にオーバーフロウーし水路に流される。オ、方向の水田に流れる水を、水門装置取り付け板１７でせき止め、水田に水の給水時は、水の流れはア、イ、図２の開口部１８から、ウ又はカ、のように流れ水田に水を取り入れる。水田に水を入れる必要がなくなり給水を止める時は、開口部１８を円筒体内で円周上に半回転させ給水止めをする水門装置１である。このように水門装置には水通過穴を設け、水の流れを、ア、イ、ウ、カのように調整している。
【０００９】
この水門装置１を作動させるため、水田の水位感知装置１９内のフロートを水位感知装置内のリミットスイッチに当たる事により水位の高さ測り、これを無線２１に送り電気制御装置２０の電池又は太陽電池２２の動力源で、モーター８を作動させ減速ギヤー７を通じ、ギヤー１０を回転し作動させる。
【００１０】
図２は水門装置１の側面図であり、図３は正面図である。この水門装置は水門取り付け板１７に取り付け固定される。
【００１１】
水門装置１をさらに詳しく説明すると、水門装置１は、水止め板３、回転ギヤー４、カムギヤー５、Oリンク６、減速ギヤー７、モーター８、リミットスイッチ９、ギヤー１０、正転回転止め１２、逆転回転止め１３。円筒状体２には円筒状の回転中心から偏芯した位置に、開口部１８が有り、回転センター１１と止めピン１４、これ等から構成されている。モーター８の動力を減速ギヤー７で、減速しギヤー１０によって、回転ギヤー４を回転させ、カムギヤー５を通して、円筒体２を回転センター１１の軸を中心に回転させ、回転止めピン１４を回転止め１２まで、止めピンの回転Bにように回す事により、開口部の回転Aの回転で給水出口位置Ｄまで回転し、水の開口部１８から水が出ることにより水田に給水できる。また水を止める場合は、反対に回転し逆回転止め１３まで、止めピン１４を止めピンの回転Bのように回転する事により、開口部１８が給水止め位置Ｃに、開口部の回転Aように回転し移動する事により、水を止めることが出来る。押付力増加機構はこの回転を利用し、カムギヤー５のカム機構で、円筒体２を水止め板３に押し付け、水漏れ対策をする。押し付けは押付力方向βであり、この力でＯリンク６を、 押付力方向β に押し付け水漏れ対策をより厳重にする。これらの回転の作動は、リミットスイッチ９により制御する。この動作により給水口閉鎖時の水の流れアは、給水口開放によりイに変わりウのように排出され水門の機能をする。
【００１２】
図４は、図２と図３の押付力増加機構αの部分斜視図である。ギャー１０の回転を回転ギヤー４から、カムギヤー５を通じて円筒体２に伝えると共に、開口部１８を開放回転方向Fに、給水出口位置Dまで回転させ、水田に給水が出来る。又反対方向回転の閉鎖回転方向Eに給水止め位置Cまで回転させ、止めピン１４を逆回転止め１３に回転させ、これと同時に、カムギヤー５のカム機構によって、押付移動方向Gに円筒体２が移動し、押し付け力が増加し、開口部１８が水止め板３に押付けられ、水止め時の水漏れ対策になる。逆回転と共に開放方向Fに回転作動し、円筒体２は水漏れ対策OFF方向Hに移動する、これ等により円筒体２及び開口部１８が作動し、水門の開閉及び調整並び水漏れ対策も出来る機構となる。図４ではカムギャー５は離れているが、装着時にはカムギャー５同士どこかの点では噛み合わさっている。実施例では押付力増加機構には、カムギャーを用いたがその他の機構として、スプリング機構、レバー機構、ネジ機構としても良い。
【００１３】
図５は、Ｕ字溝１５に水門装置１を取り付ける取り付け展開図である。
水門装置１を水門装置取り付け板１７の、水門装置取り付けパイプ部２３に固定し、水門装置取り付け板１７を、Ｕ字溝１５の仕切り板挿入部２４に挿入し固定する。またパイプ溝に設置する場合は、水門装置１をパイプ溝のパイプ部に挿入し、固定する事により使用できる。
【００１４】
図示しないが、水門装置１の反円筒体２側に網、格子等を取り付けて、大形塵の侵入防止を図ることが出来る。
【００１５】
図１、図５のU字溝１５に取り付ける場合において、水門装置取り付け板１７全体を塑性変形可能な材料又は外周部を変形可能な材料として、U字溝１５の形状のバラツキ、寸法のバラツキを吸収できるようにしてもよい。
【００１６】
図１、図５にあるようなU字溝１５形式の水路ではなく、円形の水路に直接水門装置を取り付けてもよいし、水路径のバラツキ、寸法のバラツキを吸収できるように、
水門装置取り付け板１７で調整可能としてもよい。
【００１７】
回転駆動手段についても、図２、図３、図４の方式に代えて、ウオームギヤ−方式、ベルト方式としてもよい。また、一部の機構を減速モーターで代用してもよい。
あるいは、モーターの回転を偏位した位置に取り付けたリンク棒の上下動にして、回転させてもよい。
【００１８】
発明の水門装置は砂、土は進入しにくい作用があるが、さらにその効果を高めるために、水止め板３に軟パッキンを付設してもよい。
【産業上の利用可能性】
【００１９】
本発明は水田等の水位管理が出来て、水田等の水位を見回る回数を大幅削減する事が可能で労力削減できる。
【図面の簡単な説明】
【００２０】
【図１】本発明の水門装置の概要説明図
【図２】本発明の水門装置の側面図
【図３】本発明の水門装置の正面図
【図４】押付力増加機構図
【図５】本発明の水門装置をU字溝に取り付ける展開図
【符号の説明】
【００２１】
１…水門装置
２…円筒体
３…水止め板
４…回転ギヤー
５…カムギヤー
６…Ｏリンク
７…減速ギヤー
８…モーター
９…リミットスイッチ
１０…ギヤー
１１…回転センター
１２…正転回転止め
１３…逆転回転止め
１４…止めピン
１５…Ｕ字溝
１６…仕切り板
１７…水門装置取り付け板
１８…開口部
１９…水位感知装置
２０…電気制御装置
２１…無線
２２…太陽電池
２３…水門装置取り付け板パイプ部
２４…仕切り板挿入部
ア、イ、ウ、エ、オ、カ、キ…水の流れを示す
Ａ…開口部の回転
Ｂ…止めピンの回転
Ｃ…給水止め位置
Ｄ…給水出口位置
E…閉鎖回転方向
F…開放回転方向
G…押付移動方向
H…水漏れ対策OFF方向
α…押付力増加機構
β…押付力方向
【図１】
2006083692.tif 000003
【図２】
2006083692.tif 000004
【図３】
2006083692.tif 000005
【図４】
2006083692.tif 000006
【図５】
2006083692.tif 000007